(57)【要約】【課題】従来よりも目詰まりし難くすることが可能な排水栓ユニットの提供を課題とする。【解決手段】排水栓１４と、該排水栓１４を上端１２ａに固定し下端１４ａから排水口６３に挿入される軸１２と、排水口６３に引っ掛かる引掛部２１を有するとともに毛髪Ｈ１を捕集しながら排水を下方へ通過させる排水通過部２３が形成され軸１２に対して摺動可能に取り付けられて排水栓１４の下方で上下へ移動自在とされた目皿２０とを備え、排水口６３に対して着脱可能に設けられる排水栓ユニット１０に、排水栓１４の下側で下方へ突出した下方突出部３６であって排水口６３に引っ掛かった目皿２０の排水通過部２３に挿入される下方突出部３６が軸１２を囲む位置に間隔を空けて複数設けられて軸１２又は排水栓１４に固定された目皿挿入部３０を設け、軸１２を囲んで排水通過部２３に挿入した複数の下方突出部３６の外側に排水中の毛髪Ｈ１が引っ掛かるようにする。【選択図】図３
2011006863.tif 000002
【特許請求の範囲】
【請求項１】
排水口に対して着脱可能に設けられる排水栓ユニットであって、
排水栓と、
該排水栓を上端に固定し下端から前記排水口に挿入される軸と、
前記排水口に引っ掛かる引掛部を有するとともに、毛髪を捕集しながら排水を下方へ通過させる排水通過部が形成され、前記軸に対して摺動可能に取り付けられて前記排水栓の下方で上下へ移動自在とされた目皿と、
前記排水栓の下側で下方へ突出した下方突出部であって前記排水口に引っ掛かった前記目皿の排水通過部に挿入される下方突出部が前記軸を囲む位置に間隔を空けて複数設けられ、前記軸又は前記排水栓に固定された目皿挿入部とを備え、
前記軸を囲んで前記排水通過部に挿入した前記複数の下方突出部の外側に排水中の毛髪が引っ掛かるようにされたことを特徴とする排水栓ユニット。
【請求項２】
前記下方突出部の下端部には、前記軸とは反対の方向へ凸とされた凸部が設けられていることを特徴とする請求項１に記載の排水栓ユニット。
【請求項３】
前記下方突出部の下端部は、本排水栓ユニットが前記排水口に装着されているときに前記目皿の排水通過部に挿入され、本排水栓ユニットが前記排水口から取り外されると前記目皿の排水通過部から抜けることを特徴とする請求項１又は請求項２に記載の排水栓ユニット。
【請求項４】
前記目皿挿入部は、前記軸に固定され、
前記排水栓は、前記軸の上端に対して着脱可能に取り付けられていることを特徴とする請求項２に記載の排水栓ユニット。
【発明の詳細な説明】
【技術分野】
【０００１】
本発明は、排水口に対して着脱可能に設けられる排水栓ユニットに関する。
【背景技術】
【０００２】
特許文献１に記載されるように、洗面ボウル等の底部に設けられた排水口に対して着脱可能に装着される排水栓ユニットが知られている。図１０（ａ）は、特許文献１に記載される排水栓ユニット９１０を示す側面図である。排水栓ユニット９１０は、排水口を開閉する排水栓９１１を上端に取り付けた支持軸９１２に対して上部目皿９１３及び下部目皿９１４が摺動可能に取り付けられている。
【０００３】
また、排水栓の直下にヘアキャッチャーが設けられている訳ではないが、特許文献２に記載される排水口のヘアキャッチャーが知られている。図１０（ｂ）は、特許文献２に記載されるヘアキャッチャー９２０を示す斜視図である。ヘアキャッチャー９２０は、放射状の捕集リブ９２３全体を傘状に傾斜させている。このヘアキャッチャーは、全体を傘状に傾斜させた放射状の捕集リブ９２３を有する内側部材９２２と、外側面に捕集突起９２５を有する外側部材９２４とで構成され、外側部材９２４と内側部材９２２とに分解することが可能とされている。
【０００４】
なお、排水栓ユニットではないが、特許文献３に記載されるように、ゴム栓が装着される排水口に設置されるヘアキャッチャーが知られている。図１０（ｃ）は、特許文献３に記載されるヘアキャッチャー９３０を排水口に設置した様子を示す図である。ヘアキャッチャー９３０は、排水口に引っ掛け可能な円環体を有するとともに内部に複数のリングを有する円状体９３１と、円状体９３１の中央部に挿通される軸部９３２と、放射状の桟を有し軸部９３２の上部に固定される捕集体９３３とを備えている。ヘアキャッチャー９３０が排水口に設置されるとき、上下方向に移動可能とされた円状体９３１と捕集体９３３とが当接し、上から見て円状体９３１の複数のリングと捕集体９３３の放射状の桟とが交差した状態となる。
【先行技術文献】
【特許文献】
【０００５】
【特許文献１】特開平１１−６１９３１号公報
【特許文献２】特開平１０−８８６３８号公報
【特許文献３】特開２００８−２６７０４１号公報
【発明の概要】
【発明が解決しようとする課題】
【０００６】
排水口に設けられる排水栓ユニットは、捕集した毛髪等の捕集物が目皿等に堆積すると排水能力が低下する。従って、排水口から排水栓ユニットを取り出して清掃することが必要となる。
図１０（ａ）に示す上部目皿９１３や図１０（ｃ）に示すヘアキャッチャー９３０は、捕集した毛髪等の捕集物が全面にわたって堆積するため、頻繁に清掃する必要がある。
図１０（ａ）に示す下部目皿９１４は、排水口から深い位置に挿入されるため、排水が目皿全面にわたって通過していくと考えられる。すると、捕集物が目皿全面にわたって堆積することになる。また、下部目皿９１４の低くされた中央部分から捕集物が堆積しても、捕集物が多くなるにつれ、排水を通過させる面積が小さくなっていくことになる。
図１０（ｂ）に示すヘアキャッチャー９２０も、排水口から深い位置に挿入されるため、排水が放射状の捕集リブ９２３全面にわたって通過していくと考えられる。すると、捕集物が放射状の捕集リブ９２３全面にわたって堆積することになる。また、放射状の捕集リブ９２３の低くされた外側部分から捕集物が堆積しても、捕集物が多くなるにつれ、排水を通過させる面積が小さくなっていくことになる。
【０００７】
以上を鑑み、本発明は、従来よりも目詰まりし難くすることが可能な排水栓ユニットの提供を目的としている。
【課題を解決するための手段】
【０００８】
上記目的を達成するため、本発明は、排水口に対して着脱可能に設けられる排水栓ユニットであって、
排水栓と、
該排水栓を上端に固定し下端から前記排水口に挿入される軸と、
前記排水口に引っ掛かる引掛部を有するとともに、毛髪を捕集しながら排水を下方へ通過させる排水通過部が形成され、前記軸に対して摺動可能に取り付けられて前記排水栓の下方で上下へ移動自在とされた目皿と、
前記排水栓の下側で下方へ突出した下方突出部であって前記排水口に引っ掛かった前記目皿の排水通過部に挿入される下方突出部が前記軸を囲む位置に間隔を空けて複数設けられ、前記軸又は前記排水栓に固定された目皿挿入部とを備え、
前記軸を囲んで前記排水通過部に挿入した前記複数の下方突出部の外側に排水中の毛髪が引っ掛かるようにされたことを特徴とする。
【０００９】
すなわち、軸又は排水栓に固定された目皿挿入部の複数の下方突出部は、排水口に引っ掛かった目皿の排水通過部に対して軸を囲む位置で挿入される。目皿を通過する排水に含まれる毛髪は、軸を囲んで排水通過部に挿入した複数の下方突出部の外側に引っ掛かる。これにより、目皿及び目皿挿入部に捕集物が堆積しても、しばらくは目皿における複数の下方突出部の内側が通水可能であり、通水可能な領域の面積が小さくなり難い。従って、良好な排水能力が維持される時間が長くなる。
【００１０】
各請求項に係る発明において、上記排水栓ユニットには、洗面ボウルの排水口に設けられる排水栓ユニットの他、浴槽、シンク、等の排水口に設けられる排水栓ユニットも含まれる。
上記排水は、毛髪を含む水とする。
上記目皿の排水通過部には、孔、隙間、が含まれる。
上記下方突出部が下方へ突出することには、厳密な鉛直方向からずれて突出することが含まれる。
上記下方突出部が目皿の排水通過部に挿入されることには、下方突出部の下端が排水通過部から抜け出ることのみならず、下方突出部の下端が目皿の下面の位置にとどまることも含まれる。
上記目皿及び上記目皿挿入部には、毛髪以外の異物も捕集するものも含まれる。また、目皿及び目皿挿入部は、全ての毛髪を止めるものでなくても良い。
上記目皿挿入部は、軸を中心として放射状に設けられた複数の基部の先端部から各下方突出部が突出した構成、排水栓から各下方突出部が突出した構成、等とすることができる。
【００１１】
また、前記下方突出部の下端部には、前記軸とは反対の方向へ凸とされた凸部が設けられてもよい。排水栓ユニットを排水口から取り出し、目皿が下へ移動して下方突出部が排水通過部から抜けると、凸部に毛髪等が引っ掛かる。従って、排水栓ユニットから捕集物を除去し易い。
ここで、上記凸部の凸とされた形状には、膨出した形状や突出した形状等が含まれる。
【００１２】
さらに、本排水栓ユニットが前記排水口に装着されているときに前記目皿の排水通過部に挿入され、本排水栓ユニットが前記排水口から取り外されると前記目皿の排水通過部から抜けてもよい。排水栓ユニットを排水口から取り外すと目皿の排水通過部から下方突出部が抜けるので、排水栓ユニットから捕集物を除去し易い。また、前記軸が昇降機構により昇降することで、前記排水栓が前記排水口を閉塞する閉栓位置と前記排水口に流入させる開栓位置とへ昇降するようにしてもよい。
【００１３】
さらに、前記目皿挿入部が前記軸に固定され、前記排水栓が前記軸の上端に対して着脱可能に取り付けられてもよい。排水栓ユニットを排水口から取り出し、軸から排水栓を取り外し、軸の先端の方へ遠心力を加えることにより、下方突出部の凸部に引っ掛かった毛髪等の捕集物を除去することが可能となる。
【００１４】
なお、上記排水栓ユニットが設けられた洗面ボウル、浴槽、シンク、等の排水栓ユニット付き水槽の発明も、上述した作用、効果を奏する。
【発明の効果】
【００１５】
請求項１に係る発明によれば、従来よりも目詰まりし難くすることが可能な排水栓ユニットを提供することができる。
請求項２、請求項３に係る発明では、捕集物を除去し易くすることができる。
請求項４に係る発明では、捕集物を捨て易くすることができる。
【図面の簡単な説明】
【００１６】
【図１】本発明の一実施形態に係る排水栓ユニットを設けた洗面化粧台１の要部を示す正面図であり、洗面化粧台１の扉の図示を省略して示す図である。
【図２】閉栓状態の排水栓ユニット１０及びその周辺を一部断面視して示す図である。
【図３】開栓状態の排水栓ユニット１０及びその周辺を一部断面視して示す図である。
【図４】排水口６３から取り出した排水栓ユニット１０を示す側面図である。
【図５】軸１２から排水栓１４を取り外した状態の排水栓ユニット１０を示す分解斜視図である。
【図６】目皿挿入部３０を示す斜視図である。
【図７】（ａ）は排水栓１４の図示を省略して排水栓ユニット１０を上から見て示す平面図、（ｂ）は毛髪Ｈ１等を捕集した後に排水栓１４の図示を省略して排水栓ユニット１０を上から見て示す平面図である。
【図８】排水栓１４の図示を省略して排水口６３に装着された開栓状態の排水栓ユニット１０を示す斜視図である。
【図９】（ａ）は変形例に係る目皿挿入部１３０を示す斜視図、（ｂ）は変形例に係る目皿挿入部２３０及び排水栓１４を示す斜視図である。
【図１０】（ａ）は従来例に係る排水栓ユニット９１０を示す側面図、（ｂ）は従来例に係るヘアキャッチャー９２０を示す斜視図、（ｃ）は従来例に係るヘアキャッチャー９３０を排水口に設置した様子を示す図である。
【発明を実施するための形態】
【００１７】
（１）洗面化粧台の構成：
図１に示す洗面化粧台１は、洗面ボウル８０に水栓９０や排水管ユニット６０が取り付けられている。
洗面ボウル８０は、人造大理石や陶器等で形成され、下方へ凹んだ凹状とされている。洗面ボウル８０の凹部８１には、排水管ユニット６０の排水管６２を通すための開口部８２（図２参照）が底部に形成され、オーバーフロー口８３が内側面の上部に形成されている。このオーバーフロー口８３と排水管ユニット６０とは、オーバーフロー管８４で接続されている。
【００１８】
図２に示すように、排水管ユニット６０は、排水管６２に所定の昇降機構６６が組み込まれ、この昇降機構６６にワイヤ６８が接続されている。
排水管６２の上端は、洗面ボウルの開口部８２に配置され、洗面ボウル凹部８１からの排水が流入する排水口６３とされている。この排水口６３に対して、排水栓ユニット１０が着脱可能に設けられる。排水管６２の上部内側面には、排水栓ユニット１０の上部目皿２０を掛止するため段状とされた目皿掛止部６４が形成されている。目皿掛止部６４は、段部から上側の内径が下側の内径よりも大きくされ、上部目皿２０の引掛部２１を載置する。
【００１９】
昇降機構６６は、排水管６２に挿入された排水栓ユニット１０の下端に向かう方向へ突出した持ち上げ部材６７を有している。この持ち上げ部材６７は、図２に示すように最も退避した所定の退避位置と、図３に示すように最も突出して排水栓ユニット１０の軸１２を持ち上げる所定の進出位置との間で移動可能とされている。
ワイヤ６８は、洗面ボウル８０に取り付けられる操作部６９を有している。洗面化粧台の使用者が操作部６９を引くと、ワイヤ６８は、持ち上げ部材６７を退避位置まで退避させ、排水栓１４により排水口６３を閉塞する閉栓位置Ｌ１まで軸１２を下降させる。一方、使用者が操作部６９を押すと、ワイヤ６８は、持ち上げ部材６７を進出位置まで進出させ、排水栓１４を上げて排水を排水口６３に流入させる開栓位置Ｌ２まで軸１２を上昇させる。
【００２０】
（２）排水栓ユニットの構成：
図２〜図５に示すように、本実施形態の排水栓ユニット１０は、軸１２、排水栓１４、目皿ストッパ１６、上下の目皿２０，１８、目皿挿入部３０、を有している。
軸１２は、上端１２ａに排水栓１４が固定され、下端１２ｂから排水口６３に挿入される。本実施形態の軸１２は、下端１２ｂに目皿ストッパ１６が固定され、排水栓１４の直下に目皿挿入部３０が固定され、この目皿挿入部３０と目皿ストッパ１６との間で目皿２０，１８が摺動可能に取り付けられている。軸１２は、金属等で形成され、円柱等の棒状、又は、円筒等の筒状とされる。
【００２１】
本実施形態の排水栓１４には、軸の上端１２ａを挿入するための軸挿入穴１４ａが下面側に形成されているとともに、環状のパッキン１５を嵌めるための溝１４ｂが軸１２を中心として周回する位置に形成されている。軸挿入穴１４ａに軸の上端１２ａを挿入すると、排水栓１４と軸１２とが互いに固定される。一方、互いに固定された排水栓１４及び軸１２を引き離すように引っ張ると、軸挿入穴１４ａから軸の上端１２ａが抜ける。従って、排水栓１４は、軸の上端１２ａに対して着脱可能に取り付けられていることになる。排水栓１４は、軸挿入穴１４ａ及び溝１４ｂを形成する部分がアクリロニトリルブタジエンスチレン樹脂（ＡＢＳ樹脂）といった合成樹脂等で形成され、上面部分が金属等で形成される。
溝１４ｂに嵌められたパッキン１５は、閉栓時に排水口６３との間をシールする。
【００２２】
目皿ストッパ１６は、図４に示すように軸の下端１２ｂを圧入した凹部１６ａを有し、軸の下端１２ｂを覆って軸１２から目皿２０，１８が脱落しないようにしている。なお、図４に示した二点鎖線から下側の部分に目皿ストッパ１６があり、当該二点鎖線から上側の部分に下部目皿１８がある。図２と図３に示すように、目皿ストッパ１６は、昇降機構の持ち上げ部材６７と接触するようにされている。
【００２３】
上下の目皿２０，１８は、いずれも、軸１２に対して摺動可能に取り付けられ、排水栓１４の下方かつ目皿ストッパ１６の上方で軸１２に沿って上下へ移動自在とされている。上部目皿２０は、本発明にいう目皿に相当し、目皿掛止部６４、すなわち、排水口６３に引っ掛かる引掛部２１を有している。一方、下部目皿１８は、排水管６２の内側で目皿掛止部６４に引っ掛からずに下方へ移動するようにされている。
【００２４】
図５等に示すように、本実施形態の上部目皿２０は、軸１２を貫通させた軸挿通穴２２ａを有する軸挿通部２２が中央部分に形成され、この軸挿通部２２の周りに排水通過部２３が形成されている。
軸挿通穴２２ａの内径は、軸１２の外径よりも若干大きくされている。従って、上部目皿２０は、軸１２を中心として回転動作可能とされている。また、図４に示すように排水栓ユニット１０が排水口６３から取り出されると、上部目皿２０は、目皿ストッパ１６に掛止された下部目皿１８に重なる位置まで自然に下降する。むろん、排水口６３に排水栓ユニット１０が挿入されると、上部目皿２０は、図２又は図３に示すように、目皿掛止部６４に掛止されて下部目皿１８から上方へ離れる。
【００２５】
排水通過部２３は、複数の環状部２４及び複数の橋掛部２５を有し、洗面ボウル８０から排水口６３に流入した排水に含まれる毛髪等の異物を捕集しながら排水を下方へ通過させる。各環状部２４は軸１２を中心として周回し、一番外側の環状部２４が最も上側となっている。一番外側の環状部２４の外側面に、軸１２を中心とした径方向外側に凸とされた引掛部２１が複数設けられている。また、複数の橋掛部２５は、隣り合う橋掛部２５同士のなす角度が全て等しくなるように軸１２を中心とした放射状に設けられ、排水を通過させる孔２６を多数形成するように軸挿通部２２及び各環状部２４を繋いでいる。従って、上部目皿２０は、環状部２４及び橋掛部２５で毛髪等を捕捉し、孔２６から排水を流下させる。軸１２から同じ距離にある孔２６は、橋掛部２５と同数形成されていることになり、軸１２の周りに等間隔に配置されている。
【００２６】
下部目皿１８も、軸１２を貫通させた軸挿通穴を有する軸挿通部１８ａが中央部分に形成され、この軸挿通部１８ａの周りに排水通過部１８ｂが形成されている。軸挿通穴の内径が軸１２の外径よりも若干大きいため、下部目皿１８は、軸１２を中心として回転動作可能であるとともに、目皿ストッパ１６の上方かつ上部目皿２０の下側で上下へ移動自在とされている。排水通過部１８ｂは、図８に示すように複数の環状部１８ｃ及び複数の橋掛部１８ｄを有し、オーバーフロー口８３からオーバーフロー管８４を介して排水管６２に流入した排水に含まれる毛髪等を捕集しながら、該排水及び上部目皿２０を通過した排水を孔１８ｅから下方へ通過させる。
【００２７】
目皿挿入部３０は、排水栓１４の下側で軸１２の長手方向に沿って下方へ突出した下方突出部３６を複数有し、排水栓１４の直下で軸１２に固定されている。図６に示すように、本実施形態の目皿挿入部３０は、軸１２を貫通させる軸挿通穴３２ａを有する軸挿通部３２が中央部分に形成され、この軸挿通部３２から複数の基部３４が放射状に突出し、各基部３４の先端部３５から下方突出部３６が突出している。下方突出部３６同士を直接繋ぐ部位が無いため、複数の下方突出部３６は上部目皿２０よりも毛髪等を除去しやすい形状とされている。
【００２８】
軸挿通穴３２ａには、軸１２が圧入されている。これにより、軸挿通部３２が軸１２に固定されている。むろん、接着剤等を用いて軸挿通部３２を軸１２に固定してもよい。軸挿通部３２の上面は、排水栓１４に接している。
各基部３４は、板状に形成され、隣り合う基部３４同士のなす角度が全て等しくなるように等間隔に配置されている。各基部３４の上面は、軸挿通部３２側が排水栓１４の直下で該軸挿通部３２の上面に繋がる略水平面とされ、先端側が下方突出部３６の軸１２側とは反対側の面に繋がる曲面とされている。各基部３４の下面は、先端部３５に向かって斜めに下がっている。
【００２９】
下方突出部３６は、下端部を除いて四角柱状に形成され、軸１２を囲む位置に間隔を空けて複数設けられ、排水口６３に排水栓ユニット１０が装着されているときに排水口６３に引っ掛かった上部目皿２０の排水通過部２３に挿入される。ここで、複数の下方突出部３６が軸１２を囲むとは、複数の下方突出部３６が離散的に配置されることを意味する。隣り合う下方突出部３６同士の間隔は、排水中の毛髪が引っ掛かる間隔としている。本実施形態の各下方突出部３６は、図７（ａ）に示すように、排水通過部２３に形成された別々の孔２６に対して同時に挿入されるように配置されている。
図７（ｂ）に示すように、排水栓１４を省略して排水栓ユニット１０を上から見たとき、上部目皿２０上において軸１２を囲んで排水通過部２３に挿入した複数の下方突出部３６の外側となる外側領域Ｒ１に排水中の毛髪Ｈ１等の異物が引っ掛かる。従って、上部目皿２０上において複数の下方突出部３６の内側となる内側領域Ｒ２には、毛髪Ｈ１等が入り難くされている。目皿挿入部３０に設けられる下方突出部３６の数は、内側領域Ｒ２に毛髪Ｈ１を入り難くする観点から、３本以上が好ましく、隣り合う下方突出部３６同士の間隔がほぼ軸１２の中心から下方突出部３６までの距離となる６本以上がより好ましい。目皿挿入部３０に設けられる下方突出部３６の数の上限は、隣り合う下方突出部３６の間を排水が通過する本数であればよい。従って、目皿挿入部３０に設ける下方突出部３６の数を本実施形態における上部目皿の橋掛部２５の数と同じ１２本等としてもよい。
【００３０】
各下方突出部３６の下端部には、図４等に示すように、軸１２とは反対の方向Ｄ１、すなわち、軸１２を囲んで排水通過部２３に挿入した複数の下方突出部３６の外側へ凸とされた凸部３７が設けられている。本実施形態の各凸部３７は、下方へ突出した下方突出部３６の下端から若干斜め上となる向きへ曲がって突出している。これにより、排水口６３から排水栓ユニット１０が取り出されて排水通過部２３から下方突出部３６全体が抜けるときに毛髪Ｈ１等の捕集物が凸部３７に引っ掛かり易く、排水栓ユニット１０から捕集物を除去し易くなっている。
【００３１】
本実施形態の各下方突出部３６は、図２と図３に示すように、排水口６３に排水栓ユニット１０が装着されたときに下端（凸部３７）が上部目皿２０の孔２６を通り抜けて下側へ出るようにされている。すなわち、排水栓ユニット１０が図３と図８に示す開栓状態である場合でも、各下方突出部３６が上部目皿２０の排水通過部２３を通過した状態となる。一方、図４に示すように、排水栓ユニット１０が排水口６３から取り外されると、上部目皿２０が下方へ移動して下方突出部３６全体が上部目皿２０の孔２６から抜ける。
本実施形態の目皿挿入部３０は、下方突出部３６及び基部３４の組み合わせ数が橋掛部２５の数の半分とされている。むろん、下方突出部３６及び基部３４の組み合わせ数は、橋掛部２５と同数等、様々な数とすることができる。
【００３２】
なお、目皿ストッパ１６、下部目皿１８、上部目皿２０、及び、目皿挿入部３０は、ＡＢＳ樹脂といった合成樹脂等で形成することができる。
【００３３】
上述した排水栓ユニット１０は、例えば、以下のようにして組み立てることができる。
まず、軸の下端１２ｂに目皿ストッパ１６を取り付け、軸の上端１２ａを下部目皿軸挿通部１８ａの軸挿通穴に通してから上部目皿軸挿通部２２の軸挿通穴２２ａに通す。次に、軸の上端１２ａを目皿挿入部の軸挿通穴３２ａに圧入し、排水口６３に引っ掛かった上部目皿の排水通過部２３に下方突出部３６が挿入される位置で目皿挿入部３０を軸１２に固定する。そして、軸の上端１２ａに排水栓１４を取り付けると、排水栓ユニット１０の組み立てが完了する。
むろん、排水栓ユニット１０の組み立ては、様々な手順により行うことができる。例えば、先に目皿挿入部３０を軸１２に固定し、軸の下端１２ｂを上部目皿２０の軸挿通穴２２ａに通してから下部目皿１８の軸挿通穴に通し、軸の下端１２ｂに目皿ストッパ１６を取り付け、軸の上端１２ａに排水栓１４を取り付けてもよい。
【００３４】
（３）排水栓ユニットの動作、作用、効果：
次に、本排水栓ユニット１０の動作、作用、効果を説明する。
排水栓ユニット１０を手で持って目皿ストッパ１６の方から排水口６３に挿入すると、目皿ストッパ１６が昇降機構の持ち上げ部材６７に接触するまで排水栓ユニット１０が下降する。このとき、下部目皿１８は目皿掛止部６４を通り抜ける一方、上部目皿２０は引掛部２１が目皿掛止部６４に引っ掛かって排水口６３にとどまる。そして、軸１２を囲む位置に設けられた各下方突出部３６が下端から上部目皿排水通過部の孔２６に挿入される。軸１２を中心とした上部目皿２０の回転位置によっては各下方突出部３６の下端が上部目皿の橋掛部２５に接触することがあるものの、このような場合には上部目皿２０が軸１２を中心として回転して各下方突出部３６の下端が上部目皿排水通過部の孔２６に挿入される。
【００３５】
ここで、図２に示すように操作部６９が引かれていると、持ち上げ部材６７が退避位置まで退避しており、排水栓１４、目皿ストッパ１６及び目皿挿入部３０を固定した軸１２が閉栓位置Ｌ１となる。この状態から洗面化粧台１の使用者が操作部６９を押すと、図３に示すように、持ち上げ部材６７が進出位置まで進出し、排水栓１４、目皿ストッパ１６及び目皿挿入部３０を固定した軸１２が開栓位置Ｌ２まで上昇する。むろん、この状態から使用者が操作部６９を引くと、持ち上げ部材６７が退避位置まで退避し、軸１２が閉栓位置Ｌ１まで下降する。
【００３６】
図３に示すように軸１２が開栓位置Ｌ２にあるとき、洗面ボウル凹部８１の排水Ｗ１は、排水口６３の内側面に沿って排水管６２内へ流入する。目皿挿入部の基部３４の上面が排水栓１４の直下にあるので、排水Ｗ１中の毛髪Ｈ１等の異物は基部３４の上面に引っ掛かり難い。排水管６２内に流入した排水Ｗ１は、上部目皿排水通過部の孔２６を通過する。このとき、上部目皿２０上で図７（ｂ）に示す外側領域Ｒ１を通過する排水Ｗ１に含まれる毛髪Ｈ１等は、環状部２４及び橋掛部２５に引っ掛かり、外側領域Ｒ１上に堆積していく。一方、下方突出部３６同士の間を外側から内側へ流入して上部目皿２０の内側領域Ｒ２を通過する排水Ｗ１に含まれる毛髪Ｈ１等は、複数の下方突出部３６の外側に引っ掛かり、外側領域Ｒ１上に堆積していく。いずれにしても、図８に示すように、上部目皿２０上において外側領域Ｒ１に毛髪Ｈ１等の捕集物が堆積していくこととなる。すなわち、上部目皿２０と複数の下方突出部３６とが協働して毛髪Ｈ１等の異物を捕集することになる。
上部目皿２０を通過した排水は、下部目皿１８を通過して排水管６２内を流下していく。
【００３７】
ここで、軸１２を囲んでいる複数の下方突出部３６は、全体が傘状となっている訳ではなく、軸１２に沿って下方へ突出している。従って、外側領域Ｒ１に捕集物が堆積しても、しばらくは複数の下方突出部３６の内側となる内側領域Ｒ２が通水可能であり、かつ、上部目皿２０上に堆積した捕集物の上縁部分における通水可能な領域の面積が図７（ｂ）に示す内側領域Ｒ２の面積から小さくなり難い。
なお、通水可能な領域は、軸１２に対する垂直断面を見たときの領域であるものとする。
【００３８】
複数の下方突出部３６の内側となる通水可能な領域の面積が小さくなり難いので、良好な排水能力が維持される時間が長い。従って、本排水栓ユニット１０は、従来よりも目詰まりし難くすることが可能となり、清掃する頻度を少なくすることができる。
【００３９】
毛髪Ｈ１等を捕集した排水栓ユニット１０を使用者が排水口６３から取り出すと、図４に示すように、上部目皿２０が下部目皿１８に重なる位置まで下降し、各下方突出部３６が上部目皿排水通過部の孔２６から自然に抜ける。このように目皿挿入部３０と上部目皿２０とが自然に分離するので、排水栓ユニット１０から捕集物を除去し易い。また、上部目皿２０の外側領域Ｒ１上にあった毛髪Ｈ１等の捕集物は、凸部３７に引っ掛かって複数の下方突出部３６の周りに集まった状態となる。上部目皿２０よりも毛髪等を除去しやすい形状の複数の下方突出部３６に毛髪Ｈ１等が付着した状態となるので、この点でも排水栓ユニット１０から捕集物を除去し易くなっており、手をなるべく汚さずに捕集物を除去することができる。
【００４０】
さらに、目皿挿入部３０が軸１２に固定され、排水栓１４が軸１２に対して着脱可能に取り付けられている。従って、使用者は、図５に示すように軸１２から排水栓１４を取り外すと、軸の上端１２ａの方へ遠心力を加えるように排水栓ユニット１０を振って複数の下方突出部３６の周りから捕集物を除去することができる。従って、排水栓ユニット１０から捕集物を捨て易く、手をなるべく汚さずに捕集物を除去することができる。
【００４１】
なお、使用者は、排水口６３から排水栓ユニット１０を取り出す前に、操作部６９を繰り返し引いたり押したりしてもよい。すると、上部目皿２０及び下方突出部３６に付着した粘着性の物質を取り易くする効果が期待される。
【００４２】
（４）変形例：
本発明の排水栓ユニットは、種々の変形例が考えられる。
例えば、図９（ａ）に示す目皿挿入部１３０のように、軸挿通穴を有する軸挿通部１３２が中央部分に形成され、この軸挿通部１３２から複数の基部１３４が傘状に突出し、各基部１３４の先端部１３５から下方突出部１３６が突出していてもよい。各下方突出部１３６の下端部には、排水栓ユニットの軸とは反対の方向へ凸とされた凸部１３７が設けられている。この変形例でも、各下方突出部１３６が排水栓ユニットの軸に沿って下方へ突出しているので、複数の下方突出部１３６の内側となる通水可能な領域の面積が小さくなり難い。従って、従来よりも目詰まりし難くする効果が得られる。また、各基部１３４の上面が先端部１３５に向かって斜めに下がっているので、基部１３４の上面に毛髪等の異物が入ったとしても複数の下方突出部１３６の外側へ落ち易くなる。
【００４３】
また、図９（ｂ）に示す目皿挿入部２３０のように、排水栓ユニットの軸ではなく排水栓１４に固定されてもよい。本目皿挿入部２３０は、排水栓１４の下面１４ｃから下方へ突出した下方突出部２３６を複数有している。各下方突出部２３６の下端部には、排水栓ユニットの軸とは反対の方向へ凸とされた凸部２３７が設けられている。この変形例でも、各下方突出部２３６が排水栓ユニットの軸に沿って下方へ突出しているので、複数の下方突出部２３６の内側となる通水可能な領域の面積が小さくなり難い。従って、従来よりも目詰まりし難くする効果が得られる。
【００４４】
さらに、目皿１８，２０の軸挿通部１８ａ，２２は、軸１２の周りの一部を切り欠いた形状とされてもよい。目皿挿入部の軸挿通部３２，１３２も、軸１２の周りの一部を切り欠いた形状とされてもよい。
軸１２を中心とした上部目皿の孔２６の間隔は、等間隔でなくてもよい。軸１２を中心とした下方突出部３６の間隔も、等間隔でなくてもよい。
上部目皿の排水通過部２３は、複数の孔２６で形成される以外にも、複数の隙間で形成されてもよい。例えば、環状部が無く橋掛部に相当する放射状部位のみを排水通過部に設けると、隣り合う放射状部位の間に下方突出部が挿入される隙間が形成されることになる。また、上述した排水通過部２３から橋掛部２５の本数を減らし、環状部２４同士の間に隙間を形成してもよい。
【００４５】
下方突出部の凸部３７，１３７，２３７は、排水栓ユニットの軸とは反対の方向へ膨出した形状とされてもよい。また、下方突出部の下端部は、排水栓ユニットの軸とは反対の方向以外の方向へも凸とされてもよい。
下方突出部３６，１３６，２３６の下端部は、軸１２が開栓位置Ｌ２にあるときに上部目皿排水通過部の孔又は隙間の中にあってもよい。
【００４６】
排水口６３に装着されたときの排水栓ユニット１０の軸１２は、厳密な鉛直方向からずれていてもよい。従って、下方突出部３６，１３６，２３６の突出方向は、厳密な鉛直方向からずれた方向が含まれる。むろん、下方突出部３６，１３６，２３６の突出方向は、厳密な軸１２の長手方向からずれた方向が含まれる。
【００４７】
なお、軸１２から排水栓１４を取り外すことができない排水栓ユニットでも、凸部３７，１３７，２３７により複数の下方突出部３６，１３６，２３６の周りに捕集物が集まるので、捕集物を除去し易くする効果が得られる。また、凸部３７，１３７，２３７が無くても、複数の下方突出部３６，１３６，２３６が軸１２を囲んで排水通過部２３に挿入されることにより、従来よりも目詰まりし難くなる効果が得られる。
上述した目皿ストッパ１６や下部目皿１８の無い排水栓ユニットでも、上述した効果が得られる。
【００４８】
以上説明したように、本発明は、有用な排水栓ユニット及び排水栓ユニット付き洗面ボウルを提供することができる。また、本発明は、排水栓ユニット付き浴槽、排水栓ユニット付きシンク、等に適用可能である。
さらに、本発明は、上述した実施形態や変形例に限られず、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も含まれる。
【符号の説明】
【００４９】
１…洗面化粧台、１０…排水栓ユニット、
１２…軸、１２ａ…上端、１２ｂ…下端、
１４…排水栓、１４ａ…軸挿入穴、１４ｃ…下面、
１６…目皿ストッパ、
１８…下部目皿、１８ａ…軸挿通部、
２０…上部目皿、２１…引掛部、２２…軸挿通部、２２ａ…軸挿通穴、
２３…排水通過部、２４…環状部、２５…橋掛部、２６…孔、
３０，１３０，２３０…目皿挿入部、
３２，１３２…軸挿通部、３２ａ…軸挿通穴、
３４，１３４…基部、３５，１３５…先端部、
３６，１３６，２３６…下方突出部、３７，１３７，２３７…凸部、
６０…排水管ユニット、
６２…排水管、６３…排水口、６４…目皿掛止部、
６６…昇降機構、６７…持ち上げ部材、
６８…ワイヤ、６９…操作部、
８０…洗面ボウル、
Ｈ１…毛髪、Ｌ１…閉栓位置、Ｌ２…開栓位置、
Ｒ１…外側領域、Ｒ２…内側領域、Ｗ１…排水。
【図１】
2011006863.tif 000003
【図２】
2011006863.tif 000004
【図３】
2011006863.tif 000005
【図４】
2011006863.tif 000006
【図５】
2011006863.tif 000007
【図６】
2011006863.tif 000008
【図７】
2011006863.tif 000009
【図８】
2011006863.tif 000010
【図９】
2011006863.tif 000011
【図１０】
2011006863.tif 000012